(57)【特許請求の範囲】
【請求項１】
接続対象物に搭載されて使用されるコネクタにおいて、
前記コネクタは、導電パターンが形成された接続部材と、弾性部材と、金属製のベース部材とから構成され、
前記導電パターンは、前記接続対象物と接続する端子部と、相手コネクタと接続する接触部とを有し、
前記弾性部材は、前記ベース部材よりも前記相手コネクタとの接続側に配設され、かつ、前記相手コネクタとの接続時に前記接続部材を押圧し、
前記ベース部材は、その一方側及び他方側に前記相手コネクタとの接続時に前記相手コネクタとの係合をロックするロック部をそれぞれ有し、
前記接続部材は、前記ベース部材及び前記弾性部材の周囲を包囲し、かつ、保持し、
前記ロック部は一対のロック部及び単一のロック部からなり、前記一対のロック部又は前記単一のロック部のいずれか一方はピッチずれ修正バネを兼ね、前記ピッチずれ修正バネが前記相手コネクタのベース部材を前記導電パターンのピッチ方向に押圧することにより前記相手コネクタをスライドさせ、前記相手コネクタのピッチずれを修正することを特徴とするコネクタ。
【発明の詳細な説明】
【０００１】
【発明の属する技術分野】
本発明は、プリント基板等の接続対象物に搭載されて使用されるコネクタに関し、特に超薄型のタイプに属する。
【０００２】
【従来の技術】
第１の従来のコネクタについて図４〜図６を参照して説明する。
【０００３】
図４は、ピン側コネクタとソケット側コネクタとが嵌合した状態であり、（ａ）は正面図、（ｂ）は側面図を、それぞれ示す。図５は、ピン側コネクタの諸図であり、（ａ）は正面図、（ｂ）は側面図、（ｃ）は断面図を、それぞれ示す。図６は、ソケット側コネクタの諸図であり、（ａ）は正面図、（ｂ）は側面図、（ｃ）は断面図を、それぞれ示す。
【０００４】
ピン側コネクタ２１は、長方形の枠状のインシュレータ２２と、インシュレータ２２の内部の両側に一定の間隔で配設された５対のピンコンタクト２３とから構成される。
【０００５】
ソケット側コネクタ３１は、断面略エ字形状のインシュレータ３２と、インシュレータ３２の両側に一定の間隔で配設された５対のソケットコンタクト３３とから構成される。
【０００６】
プリント基板２６に搭載されたピン側コネクタ２１と、プリント基板３６に搭載されたソケット側コネクタ３１とを嵌合すると、各ピンコンタクト２３と各ソケットコンタクト３３とが接触するので、両プリント基板２６，３６は接続する。
【０００７】
第２の従来のコネクタについて図７を参照して説明する。このコネクタは、特開平８−２５０１７１号公報に記載されている。
【０００８】
コネクタ４１は、断面トラック形状のゴム４２と、ゴム４２の内部の中央に配設された断面Ｃ字形状の金属製のバネ４３と、ゴム４２の周囲を包囲するＦＦＣ（Flexible Flat Circuit）４４とから構成される。
【０００９】
ＦＦＣ４４は、その表面に複数の回路トレース４４Ａを一定の間隔で有する。各回路トレース４４Ａは、導電性材料層をフォトエッチング等で処理することにより形成される。
【００１０】
１枚のプリント基板４６に一定の間隔で形成された各回路トレース４６Ａに、コネクタ４１の各回路トレース４４Ａの下部を接触させる。コネクタ４１の各回路トレース４４Ａの上部を、プリント基板４６と対向する他のプリント基板（図示せず）の各回路トレースに接触させると、２枚のプリント基板は、接続する。
【００１１】
【発明が解決しようとする課題】
第１の従来のコネクタでは、嵌合時にソケットコンタクトが変形するための空間が必要であり、また、ピンコンタクトの接触有効長も必要である。更に、インシュレータは、通常、樹脂であるため、薄肉成形が困難であり、また、樹脂の反りに起因するコプラナリティの不良が発生する。
【００１２】
第２の従来のコネクタでは、ゴムと断面Ｃ字形状の金属製のばねを採用しているため、２枚のプリント基板を弾力的に接続することができるが、コネクタの薄型化を図ることは、困難である。
【００１３】
そこで、本発明は、前記両従来のコネクタの欠点を改良し、超薄型で、しかも、堅牢なコネクタを提供しようとするものである。
【００１４】
【課題を解決するための手段】
本発明は、前記課題を解決するため、次の手段を採用する。
【００１５】
接続対象物に搭載されて使用されるコネクタにおいて、前記コネクタは、導電パターンが形成された接続部材と、弾性部材と、金属製のベース部材とから構成され、前記導電パターンは、前記接続対象物と接続する端子部と、相手コネクタと接続する接触部とを有し、前記弾性部材は、前記ベース部材よりも前記相手コネクタとの接続側に配設され、かつ、前記相手コネクタとの接続時に前記接続部材を押圧し、前記ベース部材は、その一方側及び他方側に前記相手コネクタとの接続時に前記相手コネクタとの係合をロックするロック部をそれぞれ有し、前記接続部材は、前記ベース部材及び前記弾性部材の周囲を包囲し、かつ、保持し、前記ロック部は一対のロック部及び単一のロック部からなり、前記一対のロック部又は前記単一のロック部のいずれか一方はピッチずれ修正バネを兼ね、前記ピッチずれ修正バネが前記相手コネクタのベース部材を前記導電パターンのピッチ方向に押圧することにより前記相手コネクタをスライドさせ、前記相手コネクタのピッチずれを修正するコネクタ。
【００１７】
【発明の実施の形態】
本発明の一実施の形態例の超薄型コネクタについて図１〜図３を参照して説明する。
【００１８】
図１は、プリント基板に搭載されたコネクタと、他のプリント基板に搭載された相手コネクタとが嵌合した状態の諸図であり、（ａ）は正面図、（ｂ）は側面図、（ｃ）は断面図を、それぞれ示す。
【００１９】
図２は、プリント基板に搭載されたコネクタの諸図であり、（ａ）は平面図、（ｂ）は断面図、（ｃ）は正面図、（ｄ）は側面図を、それぞれ示す。
【００２０】
コネクタ１は、ベース部材となる金属板２と、金属板２の上に積層されるゴム３と、金属板２の中央部及びゴム３の周囲を包囲する導電パターンが形成されたフィルム４とから構成される。
【００２１】
金属板２の一方側の両端には、突出した一対のロック部２Ａが形成され、他方側の中央には、突出した単一のロック部２Ｂが形成される。
【００２２】
フィルム４に形成された導電パターン４Ａは、プリント基板６と接続する端子部４Ａ１と、相手コネクタと接続する接触部４Ａ２とを有する。フィルム４は、金属板２の中央部及びゴム３に接着剤又は両面粘着テープにより固定される。
【００２３】
図１を参照して、プリント基板６に搭載されたコネクタ１と、プリント基板１６に搭載された相手コネクタ１１との嵌合について説明する。相手コネクタ１１をコネクタ１に嵌合すると、相手コネクタ１１の接触部１４Ａ２とコネクタ１の接触部４Ａ２とが接触し、また、コネクタ１の一対のロック部２Ａ及び単一のロック部２Ｂが、相手コネクタ１１の単一のロック部１２Ｂ及び一対のロック部１２Ａをそれぞれ弾力性によりロックする。
【００２４】
図３（ａ）は、コネクタ１と相手コネクタ１１とが嵌合したときに、コネクタ１の導体パターン４Ａの接触部４Ａ２と相手コネクタ１１の導体パターン１４Ａの接触部１４Ａ２との間にピッチずれが生じた状態を示す。このピッチずれを、次に述べる構造と動作により修正する。すなわち、図３（ｂ）に示されるように、金属板２の単一のロック部材２Ｂがピッチずれ修正バネを兼ねるように構成する。ピッチずれ修正バネ２Ｂの上部２Ｂ１は、図３（ｂ）に示されるように、下部２Ｂ２を支点として矢印方向に弾性変形することができる。図３（ａ）に示されるように、コネクタ１と相手コネクタ１１との間にピッチずれが生じたとき、ピッチずれ修正バネ２Ｂは、相手コネクタ１１の金属板１２の基準面（コネクタ１の金属板２の基準面２Ｃに相当する。図２（ａ）参照）を押圧する。したがって、相手コネクタ１１は、図３（ｃ）の位置までスライドするので、ピッチずれは、自動的に修正される。なお、本実施の形態例では、単一のロック部２Ｂがピッチずれ修正バネを兼ねたが、一対のロック部２Ａがピッチずれ修正バネを兼ねるように構成してもよい。
【００２５】
本発明においては、フィルム４に代えてＦＰＣ（Flexible Printed Circuit）を採用するように設計変更することができる。
【００２６】
【発明の効果】
以上の説明から明らかなように、本発明によれば、次の効果が奏される。
【００２７】
１．コネクタは、導電パターンが形成された接続部材と、弾性部材と、金属製のベース部材とから構成されるので、超薄型になる。
【００２８】
２．ベース部材が金属であるため、堅牢であり、また、高温熱処理時に反り難い。したがって、ベース部材のコプラナリティを維持し易い。
【００２９】
３．接続時のコネクタと相手コネクタとの係合は、一対のロック部と単一のロック部とのロックにより確実に保持される。
【００３０】
４．コネクタと相手コネクタとが嵌合するときのピッチずれは、自動的に修正されるので、至便である。
【００３１】
５．構造が簡素であり、また、製作が容易である。
【図面の簡単な説明】
【図１】本発明の一実施の形態例の超薄型コネクタと相手超薄型コネクタとが嵌合した状態の諸図であり、（ａ）は正面図、（ｂ）は側面図、（ｃ）は断面図を、それぞれ示す。
【図２】プリント基板に搭載された同超薄型コネクタの諸図であり、（ａ）は平面図、（ｂ）は断面図、（ｃ）は正面図、（ｄ）は側面図を、それぞれ示す。
【図３】同超薄型コネクタと同相手超薄型コネクタとの間にピッチずれが生じたときの修正用の構造と動作を説明するための正面図であり、（ａ）は修正前の状態、（ｂ）はピッチずれ修正バネの動作、（ｃ）は修正後の状態を、それぞれ示す。
【図４】第１の従来のコネクタの嵌合状態であり、（ａ）は正面図、（ｂ）は側面図を、それぞれ示す。
【図５】同コネクタにおけるピン側コネクタの諸図であり、（ａ）は正面図、（ｂ）は側面図、（ｃ）は断面図を、それぞれ示す。
【図６】同コネクタにおけるソケット側コネクタの諸図であり、（ａ）は正面図、（ｂ）は側面図、（ｃ）は断面図を、それぞれ示す。
【図７】第２の従来のコネクタの斜視図である。
【符号の説明】
１    コネクタ
２    金属板
２Ａ    一対のロック部
２Ｂ    単一のロック部、ピッチずれ修正バネ
２Ｂ１    上部
２Ｂ２    下部
２Ｃ    基準面
３    ゴム
４    フィルム
４Ａ    導電パターン
４Ａ１    端子部
４Ａ２    接触部
６    プリント基板
１１    相手コネクタ
１２    金属板
１２Ａ    一対のロック部
１２Ｂ    単一のロック部
１３    ゴム
１４    導体パターン
１４Ａ２    接触部
１６    プリント基板
【図１】
0003658687.tif 000002
【図２】
0003658687.tif 000003
【図３】
0003658687.tif 000004
【図４】
0003658687.tif 000005
【図５】
0003658687.tif 000006
【図６】
0003658687.tif 000007
【図７】
0003658687.tif 000008